(57)【特許請求の範囲】
【請求項１】
２以上の属性を有する２以上の画像を含む画像群を取得する画像群取得部と、
前記属性毎に、前記画像群に含まれる画像から、同一の前記属性を有する画像のみを含むグループを生成するグループ生成部と、
前記画像群に含まれる画像の総枚数を算出し、かつ、前記グループ毎に、前記グループに含まれる画像の枚数を算出する枚数算出部と、
前記グループ毎に、前記グループに含まれる画像の枚数に応じた長さの棒グラフを生成する棒グラフ生成部と、
長方形の表示領域を有し、前記表示領域が、前記表示領域の中心を含み、かつ前記表示領域の短辺に平行な２線分および前記２線分と前記表示領域の長辺とによって囲まれる中央領域と、前記中央領域から前記表示領域の２つの短辺へ向かってそれぞれ配置される第１の周辺領域および第２の周辺領域とを有する表示部と、
前記画像群に含まれる画像の総枚数を前記中央領域に表示させ、かつ、前記２以上の属性に対応する２以上の前記グループのうちの１以上のグループの前記棒グラフおよび属性情報を前記第１の周辺領域に表示させ、前記２以上のグループのうちの１以上の残りのグループの前記棒グラフおよび属性情報を前記第２の周辺領域に表示させる表示制御部とを備え、
前記表示制御部は、前記中央領域の側を起点側とし、先端側が前記中央領域の反対側へ向かってそれぞれ延びる前記棒グラフを、前記第１の周辺領域および前記第２の周辺領域にそれぞれ表示させる表示装置。
【請求項２】
２以上の属性を有する２以上の画像を含む画像群を取得する画像群取得部と、
前記属性毎に、前記画像群に含まれる画像から、同一の前記属性を有する画像のみを含むグループを生成するグループ生成部と、
前記画像群に含まれる画像の総枚数を算出し、かつ、前記グループ毎に、前記グループに含まれる画像の枚数を算出する枚数算出部と、
前記グループ毎に、前記グループに含まれる画像の枚数に応じた長さの棒グラフを生成する棒グラフ生成部と、
長方形の表示領域を有し、前記表示領域が、前記表示領域の中心を含み、かつ前記表示領域の短辺に平行な２線分および前記２線分と前記表示領域の長辺とによって囲まれる中央領域と、前記中央領域から前記表示領域の２つの短辺へ向かってそれぞれ配置される第１の周辺領域および第２の周辺領域とを有する表示部と、
前記画像群に含まれる画像の総枚数を前記中央領域に表示させ、かつ、前記２以上の属性に対応する２以上の前記グループのうちの１以上のグループの前記棒グラフおよび属性情報を前記第１の周辺領域に表示させ、前記２以上のグループのうちの１以上の残りのグループの前記棒グラフおよび属性情報を前記第２の周辺領域に表示させる表示制御部とを備え、
前記表示制御部は、前記中央領域の反対側を起点側とし、先端側が前記中央領域の側へ向かってそれぞれ延びる前記棒グラフを、前記第１の周辺領域および前記第２の周辺領域にそれぞれ表示させる表示装置。
【請求項３】
前記表示制御部は、さらに、前記グループ毎に、前記グループに含まれる画像の枚数を表示させる請求項１または２に記載の表示装置。
【請求項４】
前記表示制御部は、前記属性情報として、前記グループの属性を表す名称を表示させる請求項１〜３のいずれか一項に記載の表示装置。
【請求項５】
前記表示制御部は、前記属性情報として、前記グループの属性を表すアイコンを表示させる請求項１〜３のいずれか一項に記載の表示装置。
【請求項６】
前記表示制御部は、前記属性情報として、前記グループの属性を表すアイコンおよび前記グループの属性を表す名称の両方を表示させる請求項１〜３のいずれか一項に記載の表示装置。
【請求項７】
前記表示制御部は、さらに、前記グループに含まれる画像の枚数を前記棒グラフの内側の領域に表示させる請求項３に記載の表示装置。
【請求項８】
前記表示制御部は、さらに、前記グループの属性を表す名称を前記棒グラフの内側の領域に表示させる請求項４または６に記載の表示装置。
【請求項９】
前記表示制御部は、さらに、前記グループの属性を表すアイコンを前記棒グラフの内側の領域の前記先端側に表示させる請求項５または６に記載の表示装置。
【請求項１０】
前記棒グラフ生成部は、前記グループに含まれる画像の枚数の桁数に応じた長さの棒グラフを生成する請求項１〜９のいずれか一項に記載の表示装置。
【請求項１１】
前記棒グラフ生成部は、前記グループに含まれる画像の枚数に応じて前記属性の順位を決定し、前記属性の順位に応じた長さの棒グラフを生成する請求項１〜９のいずれか一項に記載の表示装置。
【請求項１２】
前記棒グラフ生成部は、前記第１の周辺領域に表示される棒グラフとして、第１の生成基準に応じた長さの棒グラフを生成し、前記第２の周辺領域に表示される棒グラフとして、前記第１の生成基準とは異なる第２の生成基準に応じた長さの棒グラフを生成する請求項１〜９のいずれか一項に記載の表示装置。
【請求項１３】
さらに、ユーザにより入力された指示を取得する指示取得部を備え、
前記表示制御部は、さらに、前記指示に応じて選択された棒グラフに対応するグループに含まれる画像の一覧を前記表示部の表示領域に表示させる請求項１〜１２のいずれか一項に記載の表示装置。
【請求項１４】
前記表示制御部は、前記中央領域内に枠を表示させ、前記画像群に含まれる画像の総枚数を前記枠内に表示させる請求項１〜１２のいずれか一項に記載の表示装置。
【請求項１５】
前記表示制御部は、さらに、前記画像の枚数が最も多いグループの属性情報を前記中央領域に表示させる請求項１〜１４のいずれか一項に記載の表示装置。
【請求項１６】
前記表示制御部は、さらに、前記画像の枚数が最も少ないグループの属性情報を前記中央領域に表示させる請求項１〜１４のいずれか一項に記載の表示装置。
【請求項１７】
前記表示制御部は、さらに、画像の撮影、画像の共有、あるいは、画像のプリントをリコメンドするリコメンド情報を前記中央領域に表示させる請求項１〜１６のいずれか一項に記載の表示装置。
【請求項１８】
前記表示制御部は、さらに、前記表示装置の起動時に、各々の前記グループの棒グラフが、前記起点側から前記先端側へ向かって前記棒グラフの長さまで延びるアニメーションを表示させる請求項１〜１７のいずれか一項に記載の表示装置。
【請求項１９】
前記表示制御部は、さらに、前記画像群に含まれる画像の総枚数の表示部分と、各々の前記グループの棒グラフの起点側の表示部分とをつなぐ線を表示させる請求項１および３〜１８のいずれか一項に記載の表示装置。
【請求項２０】
さらに、前記画像群に含まれる画像の解析を行う画像解析部と、
前記画像の解析結果に基づいて、前記画像に前記属性を付与する属性付与部とを備え、
前記グループ生成部、前記枚数算出部、前記棒グラフ生成部および前記表示制御部は、前記属性付与部によって前記属性が付与された画像を含む画像群を用いて処理を行う請求項１〜１９のいずれか一項に記載の表示装置。
【請求項２１】
前記画像解析部は、前記画像群取得部によって新規な画像群が取得された場合に、前記新規な画像群に含まれる画像の解析を行い、
前記属性付与部は、前記新規な画像群に含まれる画像の解析結果に基づいて、前記新規な画像群に含まれる画像に前記属性を付与する請求項２０に記載の表示装置。
【請求項２２】
前記画像解析部は、前記画像群に新規な画像が追加された場合に、前記新規な画像の解析を行い、
前記属性付与部は、前記新規な画像の解析結果に基づいて、前記新規な画像に前記属性を付与する請求項２０に記載の表示装置。
【請求項２３】
画像群取得部が、２以上の属性を有する２以上の画像を含む画像群を取得するステップと、
グループ生成部が、前記属性毎に、前記画像群に含まれる画像から、同一の前記属性を有する画像のみを含むグループを生成するステップと、
枚数算出部が、前記画像群に含まれる画像の総枚数を算出し、かつ、前記グループ毎に、前記グループに含まれる画像の枚数を算出するステップと、
棒グラフ生成部が、前記グループ毎に、前記グループに含まれる画像の枚数に応じた長さの棒グラフを生成するステップとを含み、
表示部が、長方形の表示領域を有し、前記表示領域が、前記表示領域の中心を含み、かつ前記表示領域の短辺に平行な２線分および前記２線分と前記表示領域の長辺とによって囲まれる中央領域と、前記中央領域から前記表示領域の２つの短辺へ向かってそれぞれ配置される第１の周辺領域および第２の周辺領域とを有し、
さらに、表示制御部が、前記画像群に含まれる画像の総枚数を前記中央領域に表示させ、かつ、前記２以上の属性に対応する２以上の前記グループのうちの１以上のグループの前記棒グラフおよび属性情報を前記第１の周辺領域に表示させ、前記２以上のグループのうちの１以上の残りのグループの前記棒グラフおよび属性情報を前記第２の周辺領域に表示させるステップを含み、
前記棒グラフを表示させるステップは、前記中央領域の側を起点側とし、先端側が前記中央領域の反対側へ向かってそれぞれ延びる前記棒グラフを、前記第１の周辺領域および前記第２の周辺領域にそれぞれ表示させる表示方法。
【請求項２４】
画像群取得部が、２以上の属性を有する２以上の画像を含む画像群を取得するステップと、
グループ生成部が、前記属性毎に、前記画像群に含まれる画像から、同一の前記属性を有する画像のみを含むグループを生成するステップと、
枚数算出部が、前記画像群に含まれる画像の総枚数を算出し、かつ、前記グループ毎に、前記グループに含まれる画像の枚数を算出するステップと、
棒グラフ生成部が、前記グループ毎に、前記グループに含まれる画像の枚数に応じた長さの棒グラフを生成するステップとを含み、
表示部が、長方形の表示領域を有し、前記表示領域が、前記表示領域の中心を含み、かつ前記表示領域の短辺に平行な２線分および前記２線分と前記表示領域の長辺とによって囲まれる中央領域と、前記中央領域から前記表示領域の２つの短辺へ向かってそれぞれ配置される第１の周辺領域および第２の周辺領域とを有し、
さらに、表示制御部が、前記画像群に含まれる画像の総枚数を前記中央領域に表示させ、かつ、前記２以上の属性に対応する２以上の前記グループのうちの１以上のグループの前記棒グラフおよび属性情報を前記第１の周辺領域に表示させ、前記２以上のグループのうちの１以上の残りのグループの前記棒グラフおよび属性情報を前記第２の周辺領域に表示させるステップを含み、
前記棒グラフを表示させるステップは、前記中央領域の反対側を起点側とし、先端側が前記中央領域の側へ向かってそれぞれ延びる前記棒グラフを、前記第１の周辺領域および前記第２の周辺領域にそれぞれ表示させる表示方法。
【請求項２５】
さらに、前記表示制御部が、前記グループ毎に、前記グループに含まれる画像の枚数を表示させるステップを含む請求項２３または２４に記載の表示方法。
【請求項２６】
さらに、指示取得部が、ユーザにより入力された指示を取得するステップと、
前記表示制御部が、前記指示に応じて選択された棒グラフに対応するグループに含まれる画像の一覧を前記表示部の表示領域に表示させるステップとを含む請求項２３〜２５のいずれか一項に記載の表示方法。
【請求項２７】
さらに、画像解析部が、前記画像群に含まれる画像の解析を行うステップと、
属性付与部が、前記画像の解析結果に基づいて、前記画像に前記属性を付与するステップとを含み、
前記グループを生成するステップ、前記画像群に含まれる画像の総枚数および前記グループに含まれる画像の枚数を算出するステップ、前記棒グラフを生成するステップ、および、前記画像群に含まれる画像の総枚数、前記棒グラフおよび属性情報を表示させるステップは、前記属性を付与するステップによって前記属性が付与された画像を含む画像群を用いて処理を行う請求項２３〜２６のいずれか一項のいずれか一項に記載の表示方法。
【請求項２８】
請求項２３〜２７のいずれか一項に記載の表示方法の各々のステップをコンピュータに実行させるためのプログラム。
【請求項２９】
請求項２３〜２７のいずれか一項に記載の表示方法の各々のステップをコンピュータに実行させるためのプログラムが記録されたコンピュータ読み取り可能な記録媒体。
【発明の詳細な説明】
【技術分野】
【０００１】
本発明は、画像群に含まれる画像の総枚数や、同一の属性を有する画像の枚数等の画像情報を表示する表示装置、表示方法、プログラムおよび記録媒体に関するものである。
【背景技術】
【０００２】
スマートフォンの中には、そのカメラ機能により撮影された数百枚、数千枚という大量の画像（写真）が保存されている場合がある。しかし、これらの大量の画像は有効に活用されていないことが多い。
【０００３】
例えば、ユーザは、スマートフォンに保存されている画像の枚数が多くなるに従って、どの画像がどこに保存されているのかを思い出すことが次第に難しくなる。
また、スマートフォンの表示画面には、サムネイル画像を１６枚程度しか一度に表示することができない。そのため、ユーザが大量の画像の中から自分自身で画像の内容をチェックしながら所望の画像を探し出すことはなかなか難しい。
【０００４】
一方、スマートフォン上で動作する、電子アルバム等を作成するアプリケーションには、大量の画像の中からユーザが所望する画像を検索条件の数値に応じて検索する機能を備えているものがある。しかし、上記のアプリケーションにも十分な機能が備わっているとは言えず、ユーザが真に望む画像を探し出すことには依然困難が伴っている。
【０００５】
従って、ユーザが、画像の整理、共有、プリント等への活用をし易くするために、画像群に含まれる画像の総枚数や、同一の属性を有する画像の枚数等の画像情報を分かりやすく表示することが望まれている。
【０００６】
これに対し、特許文献１には、属性情報ごとにグループ化した画像の数を表示させることや、画像数バーが、グループに属する画像ファイルの数をバーの長さで示すこと、その枚数を文字で示すこと、複数のグループの情報を一度に一覧表示すること、画像ファイルの総枚数を表示することなどが記載されている。
【０００７】
特許文献２には、撮像画像を処理し、集計対象エリア内に入った人の属性を推定して、その人数を属性別に計数することや、集計対象エリア毎に、その集計対象エリアに入った人の人数を属性別に集計した集計結果を得ること、集計対象エリア毎に、棒グラフで、集計対象エリアに入った人の人数を属性別に示す画面を表示器に表示すること、集計対象エリアに入った人の人数を属性別に表示すること、施設（全体）に入った人の人数を棒グラフや帳票形式で表示することなどが記載されている。
【先行技術文献】
【特許文献】
【０００８】
【特許文献１】特開２００８−０７１１６８号公報
【特許文献２】特開２０１０−０３３４７４号公報
【発明の概要】
【０００９】
しかし、特許文献１、２では、例えば、画像群に含まれている画像の総枚数や、最も枚数が多い画像の属性、属性毎の画像の多少等を一目で直感的に把握することができないという問題があった。
【発明が解決しようとする課題】
【００１０】
本発明の目的は、従来技術の問題点を解消し、画像群に含まれている画像の総枚数や、最も枚数が多い画像の属性、属性毎の画像の多少等を一目で直感的に把握することができる表示装置、表示方法、プログラムおよび記録媒体を提供することにある。
【課題を解決するための手段】
【００１１】
上記目的を達成するために、本発明は、２以上の属性を有する２以上の画像を含む画像群を取得する画像群取得部と、
属性毎に、画像群に含まれる画像から、同一の属性を有する画像のみを含むグループを生成するグループ生成部と、
画像群に含まれる画像の総枚数を算出し、かつ、グループ毎に、グループに含まれる画像の枚数を算出する枚数算出部と、
グループ毎に、グループに含まれる画像の枚数に応じた長さの棒グラフを生成する棒グラフ生成部と、
長方形の表示領域を有し、表示領域が、表示領域の中心を含み、かつ表示領域の短辺に平行な２線分および２線分と表示領域の長辺とによって囲まれる中央領域と、中央領域から表示領域の２つの短辺へ向かってそれぞれ配置される第１の周辺領域および第２の周辺領域とを有する表示部と、
画像群に含まれる画像の総枚数を中央領域に表示させ、かつ、２以上の属性に対応する２以上のグループのうちの１以上のグループの棒グラフおよび属性情報を第１の周辺領域に表示させ、２以上のグループのうちの１以上の残りのグループの棒グラフおよび属性情報を第２の周辺領域に表示させる表示制御部とを備え、
表示制御部は、中央領域の側を起点側とし、先端側が中央領域の反対側へ向かってそれぞれ延びる棒グラフを、第１の周辺領域および第２の周辺領域にそれぞれ表示させる表示装置を提供するものである。
【００１２】
また、本発明は、２以上の属性を有する２以上の画像を含む画像群を取得する画像群取得部と、
属性毎に、画像群に含まれる画像から、同一の属性を有する画像のみを含むグループを生成するグループ生成部と、
画像群に含まれる画像の総枚数を算出し、かつ、グループ毎に、グループに含まれる画像の枚数を算出する枚数算出部と、
グループ毎に、グループに含まれる画像の枚数に応じた長さの棒グラフを生成する棒グラフ生成部と、
長方形の表示領域を有し、表示領域が、表示領域の中心を含み、かつ表示領域の短辺に平行な２線分および２線分と表示領域の長辺とによって囲まれる中央領域と、中央領域から表示領域の２つの短辺へ向かってそれぞれ配置される第１の周辺領域および第２の周辺領域とを有する表示部と、
画像群に含まれる画像の総枚数を中央領域に表示させ、かつ、２以上の属性に対応する２以上のグループのうちの１以上のグループの棒グラフおよび属性情報を第１の周辺領域に表示させ、２以上のグループのうちの１以上の残りのグループの棒グラフおよび属性情報を第２の周辺領域に表示させる表示制御部とを備え、
表示制御部は、中央領域の反対側を起点側とし、先端側が中央領域の側へ向かってそれぞれ延びる棒グラフを、第１の周辺領域および第２の周辺領域にそれぞれ表示させる表示装置を提供する。
【００１３】
表示制御部は、さらに、グループ毎に、グループに含まれる画像の枚数を表示させることが好ましい。
【００１４】
また、表示制御部は、属性情報として、グループの属性を表す名称を表示させることが好ましい。
【００１５】
また、表示制御部は、属性情報として、グループの属性を表すアイコンを表示させることが好ましい。
【００１６】
また、表示制御部は、属性情報として、グループの属性を表すアイコンおよびグループの属性を表す名称の両方を表示させることが好ましい。
【００１７】
表示制御部は、さらに、グループに含まれる画像の枚数を棒グラフの内側の領域に表示させることが好ましい。
【００１８】
表示制御部は、さらに、グループの属性を表す名称を棒グラフの内側の領域に表示させることが好ましい。
【００１９】
表示制御部は、さらに、グループの属性を表すアイコンを棒グラフの内側の領域の先端側に表示させることが好ましい。
【００２０】
また、棒グラフ生成部は、グループに含まれる画像の枚数の桁数に応じた長さの棒グラフを生成することが好ましい。
【００２１】
また、棒グラフ生成部は、グループに含まれる画像の枚数に応じて属性の順位を決定し、属性の順位に応じた長さの棒グラフを生成することが好ましい。
【００２２】
また、棒グラフ生成部は、第１の周辺領域に表示される棒グラフとして、第１の生成基準に応じた長さの棒グラフを生成し、第２の周辺領域に表示される棒グラフとして、第１の生成基準とは異なる第２の生成基準に応じた長さの棒グラフを生成することが好ましい。
【００２３】
さらに、ユーザにより入力された指示を取得する指示取得部を備え、
表示制御部は、さらに、指示に応じて選択された棒グラフに対応するグループに含まれる画像の一覧を表示部の表示領域に表示させることが好ましい。
【００２４】
また、表示制御部は、中央領域内に枠を表示させ、画像群に含まれる画像の総枚数を枠内に表示させることが好ましい。
【００２５】
表示制御部は、さらに、画像の枚数が最も多いグループの属性情報を中央領域に表示させることが好ましい。
【００２６】
表示制御部は、さらに、画像の枚数が最も少ないグループの属性情報を中央領域に表示させることが好ましい。
【００２７】
表示制御部は、さらに、画像の撮影、画像の共有、あるいは、画像のプリントをリコメンドするリコメンド情報を中央領域に表示させることが好ましい。
【００２８】
表示制御部は、さらに、表示装置の起動時に、各々のグループの棒グラフが、起点側から先端側へ向かって棒グラフの長さまで延びるアニメーションを表示させることが好ましい。
【００２９】
表示制御部は、さらに、画像群に含まれる画像の総枚数の表示部分と、各々のグループの棒グラフの起点側の表示部分とをつなぐ線を表示させることが好ましい。
【００３０】
さらに、画像群に含まれる画像の解析を行う画像解析部と、
画像の解析結果に基づいて、画像に属性を付与する属性付与部とを備え、
グループ生成部、枚数算出部、棒グラフ生成部および表示制御部は、属性付与部によって属性が付与された画像を含む画像群を用いて処理を行うことが好ましい。
【００３１】
また、画像解析部は、画像群取得部によって新規な画像群が取得された場合に、新規な画像群に含まれる画像の解析を行い、
属性付与部は、新規な画像群に含まれる画像の解析結果に基づいて、新規な画像群に含まれる画像に属性を付与することが好ましい。
【００３２】
また、画像解析部は、画像群に新規な画像が追加された場合に、新規な画像の解析を行い、
属性付与部は、新規な画像の解析結果に基づいて、新規な画像に属性を付与することが好ましい。
【００３３】
また、本発明は、画像群取得部が、２以上の属性を有する２以上の画像を含む画像群を取得するステップと、
グループ生成部が、属性毎に、画像群に含まれる画像から、同一の属性を有する画像のみを含むグループを生成するステップと、
枚数算出部が、画像群に含まれる画像の総枚数を算出し、かつ、グループ毎に、グループに含まれる画像の枚数を算出するステップと、
棒グラフ生成部が、グループ毎に、グループに含まれる画像の枚数に応じた長さの棒グラフを生成するステップとを含み、
表示部が、長方形の表示領域を有し、表示領域が、表示領域の中心を含み、かつ表示領域の短辺に平行な２線分および２線分と表示領域の長辺とによって囲まれる中央領域と、中央領域から表示領域の２つの短辺へ向かってそれぞれ配置される第１の周辺領域および第２の周辺領域とを有し、
さらに、表示制御部が、画像群に含まれる画像の総枚数を中央領域に表示させ、かつ、２以上の属性に対応する２以上のグループのうちの１以上のグループの棒グラフおよび属性情報を第１の周辺領域に表示させ、２以上のグループのうちの１以上の残りのグループの棒グラフおよび属性情報を第２の周辺領域に表示させるステップを含み、
棒グラフを表示させるステップは、中央領域の側を起点側とし、先端側が中央領域の反対側へ向かってそれぞれ延びる棒グラフを、第１の周辺領域および第２の周辺領域にそれぞれ表示させる表示方法を提供する。
【００３４】
また、本発明は、画像群取得部が、２以上の属性を有する２以上の画像を含む画像群を取得するステップと、
グループ生成部が、属性毎に、画像群に含まれる画像から、同一の属性を有する画像のみを含むグループを生成するステップと、
枚数算出部が、画像群に含まれる画像の総枚数を算出し、かつ、グループ毎に、グループに含まれる画像の枚数を算出するステップと、
棒グラフ生成部が、グループ毎に、グループに含まれる画像の枚数に応じた長さの棒グラフを生成するステップとを含み、
表示部が、長方形の表示領域を有し、表示領域が、表示領域の中心を含み、かつ表示領域の短辺に平行な２線分および２線分と表示領域の長辺とによって囲まれる中央領域と、中央領域から表示領域の２つの短辺へ向かってそれぞれ配置される第１の周辺領域および第２の周辺領域とを有し、
さらに、表示制御部が、画像群に含まれる画像の総枚数を中央領域に表示させ、かつ、２以上の属性に対応する２以上のグループのうちの１以上のグループの棒グラフおよび属性情報を第１の周辺領域に表示させ、２以上のグループのうちの１以上の残りのグループの棒グラフおよび属性情報を第２の周辺領域に表示させるステップを含み、
棒グラフを表示させるステップは、中央領域の反対側を起点側とし、先端側が中央領域の側へ向かってそれぞれ延びる棒グラフを、第１の周辺領域および第２の周辺領域にそれぞれ表示させる表示方法を提供する。
【００３５】
さらに、表示制御部が、グループ毎に、グループに含まれる画像の枚数を表示させることが好ましい。
【００３６】
さらに、指示取得部が、ユーザにより入力された指示を取得するステップと、
表示制御部が、指示に応じて選択された棒グラフに対応するグループに含まれる画像の一覧を表示部の表示領域に表示させるステップとを含むことが好ましい。
【００３７】
さらに、画像解析部が、画像群に含まれる画像の解析を行うステップと、
属性付与部が、画像の解析結果に基づいて、画像に属性を付与するステップとを含み、
グループを生成するステップ、画像群に含まれる画像の総枚数およびグループに含まれる画像の枚数を算出するステップ、棒グラフを生成するステップ、および、画像群に含まれる画像の総枚数、棒グラフおよび属性情報を表示させるステップは、属性を付与するステップによって属性が付与された画像を含む画像群を用いて処理を行うことが好ましい。
【００３８】
また、本発明は、上記に記載の表示方法の各々のステップをコンピュータに実行させるためのプログラムを提供する。
【００３９】
また、本発明は、上記に記載の表示方法の各々のステップをコンピュータに実行させるためのプログラムが記録されたコンピュータ読み取り可能な記録媒体を提供する。
【発明の効果】
【００４０】
本発明によれば、画像群に含まれる画像の総枚数を表示部の表示領域の中央領域に表示することにより、ユーザは、画像群に含まれる画像の総枚数を一目で把握することができる。
【００４１】
また、本発明によれば、画像群に含まれる画像から、同一の属性を有する画像のみを含むグループを生成し、１以上のグループの棒グラフおよび属性情報を第１の周辺領域に表示し、１以上の残りのグループの棒グラフおよび属性情報を第２の周辺領域に表示することにより、ユーザは、どのような属性の画像が画像群の中に最も多く含まれているのか、また、属性毎の画像の多少などを一目で直感的に把握することができる。
【図面の簡単な説明】
【００４２】
【図１】本発明の表示装置の構成を表す一実施形態のブロック図である。
【図２】画像解析済みの画像情報表示画面の構成を表す一実施形態の概念図である。
【図３】表示装置の動作を表す一実施形態のフローチャートである。
【図４】画像解析中の画像情報表示画面の構成を表す一実施形態の概念図である。
【図５】ユーザの指示により選択された棒グラフに対応するグループに含まれる画像が表示部に表示された様子を表す一実施形態の概念図である。
【発明を実施するための形態】
【００４３】
以下に、添付の図面に示す好適実施形態に基づいて、本発明の表示装置、表示方法、プログラムおよび記録媒体を詳細に説明する。
【００４４】
図１は、本発明の表示装置の構成を表す一実施形態のブロック図である。同図に示す表示装置１０は、スマートフォン上で動作するアプリケーションとして実現され、スマートフォンに保存された画像の総枚数や、同一の属性を有する画像の枚数等の画像情報を表示するものである。表示装置１０は、表示部１２と、指示取得部１４と、画像群取得部１６と、画像解析部１８と、属性付与部２０と、グループ生成部２２と、枚数算出部２４と、棒グラフ生成部２６と、表示制御部２８とを備えている。
【００４５】
表示装置１０において、表示部１２は、長方形の表示領域を有し、各種の画像、例えば、画像群の情報を表示する画像情報表示画面（ホーム画面）や、同一の属性を有する画像等を表示領域に表示するものである。
【００４６】
例えば、画像情報表示画面を表示する場合、表示領域は、図２に示すように、表示領域の中心を含み、かつ表示領域の短辺に平行な２線分およびその２線分と表示領域の長辺とによって囲まれる中央領域と、中央領域から表示領域の２つの短辺へ向かってそれぞれ配置される第１の周辺領域および第２の周辺領域とを有する。
【００４７】
画像の属性は、画像に存在する人物や人物以外のオブジェクト、シーン、イベント等を表すものであり、本実施形態の場合、図２に示すように、人物、ペット、食べ物、夜景、乗り物、花、アウトドア、インドア、文字／イラストの９種の属性が使用される。
なお、画像の属性の種類は、任意に設定、変更することができる。また、ユーザの指示に応じて画像の属性を設定してもよい。
【００４８】
続いて、指示取得部１４は、ユーザにより入力された各種の指示を取得するものである。
【００４９】
ユーザの指示には、画像情報表示画面を表示部１２に表示させる指示や、表示部１２に表示された各々の属性に対応するグループの棒グラフの中から所望の棒グラフを選択する指示等が含まれる。
【００５０】
本実施形態の場合、表示部１２および指示取得部１４は、各種の画像を画面に表示し、かつ、ユーザが画面に対してタッチ操作を行うことにより、ユーザの指示を入力するスマートフォンのタッチパネルである。
【００５１】
続いて、画像群取得部１６は、２以上の属性を有する２以上の画像を含む画像群を取得するものである。
【００５２】
画像群取得部１６は、表示装置１０を実現するアプリケーションの起動時に、処理対象となる画像群を取得する。また、画像群取得部１６は、新規な画像が追加された場合に、この追加された新規な画像を取得して画像群に追加する。
【００５３】
画像群取得部１６は、あらかじめ設定されたフォルダ、例えば、スマートフォンのカメラ機能により撮影された画像が保存されるフォルダから画像群を取得してもよいし、あるいは、ユーザの指示により選択されたフォルダから画像群を取得してもよい。また、画像群取得部１６は、２以上の属性を有する２以上の画像だけでなく、属性のない画像や、１つの属性のみを有する画像を含む画像群を取得してもよい。
【００５４】
続いて、画像解析部１８は、画像群に含まれる画像の解析を行うものである。
【００５５】
画像解析部１８は、画像群取得部１６によって新規な画像群が取得された場合に、新規な画像群に含まれる画像の解析を行う。また、画像解析部１８は、画像群取得部１６によって画像群に新規な画像が追加された場合に、この追加された新規な画像の解析を行う。
画像解析部１８は、例えば、画像群取得部１６によって全ての画像が取得された後に画像の解析を行ってもよいし、１枚の画像が取得される毎に画像の解析を行ってもよい。
【００５６】
画像の解析には、画像に付帯されているExif（Exchangeable Image File Format）情報等のヘッダ情報に基づく画像の撮影日時および撮影位置（GPS(Global Positioning System)情報）の検出、画像に存在する人物およびオブジェクト、シーン、イベントの検出、インドアで撮影された画像なのか、アウトドアで撮影された画像なのかの判別、自然画なのか、文字／イラストの画像なのか否かの判別等が含まれる。
【００５７】
続いて、属性付与部２０は、画像解析部１８による画像の解析結果に基づいて、画像に属性を付与するものである。
【００５８】
属性付与部２０は、画像解析部１８によって新規な画像群に含まれる画像の解析が行われた場合に、新規な画像群に含まれる画像の解析結果に基づいて、新規な画像群に含まれる画像に属性を付与する。また、属性付与部２０は、画像解析部１８によって画像群に追加された新規な画像の解析が行われた場合に、新規な画像の解析結果に基づいて、新規な画像に属性を付与する。
【００５９】
本実施形態の場合、属性付与部２０は、人物、ペット、食べ物、夜景、乗り物、花、アウトドア、インドア、文字／イラストの９種の属性のうちの１以上を画像に付与する。
【００６０】
例えば、画像解析の結果、オブジェクトとして「ペット」が画像に存在することが検出された場合、属性付与部２０は、「ペット」の属性を画像に付与する。オブジェクトに対応する属性の名称は、例えば、そのオブジェクトの名称と同じ名称や、そのオブジェクトと関連性のある名称が使用される。また、属性の名称として、ユーザの指示に応じて指定された任意の名称の属性を画像に付与してもよい。
【００６１】
属性付与部２０が画像に属性を付与した場合、グループ生成部２２、枚数算出部２４、棒グラフ生成部２６および表示制御部２８は、属性付与部２０によって属性が付与された画像を含む画像群を用いて処理を行う。
【００６２】
なお、属性付与部２０が属性を画像に付与することは必須ではなく、画像群取得部１６は、あらかじめ属性が付与された画像を含む画像群を取得してもよい。あるいは、属性付与部２０は、画像群のうち、属性のない画像に対してのみ属性を付与してもよいし、画像解析部１８による画像の解析結果に基づいて、属性を有する画像に対してさらに属性を付与してもよい。また、属性のない画像に対して属性を付与せず、処理の対象外としてもよい。
【００６３】
続いて、グループ生成部２２は、属性毎に、画像群に含まれる画像から、同一の属性を有する画像のみを含むグループを生成するものである。
【００６４】
本実施形態の場合、グループ生成部２２は、人物、ペット、食べ物、夜景、乗り物、花、アウトドア、インドア、文字／イラストの９種の属性に対応する９個のグループを生成する。
【００６５】
画像は１以上の属性を有する。例えば、人物がペットと一緒に屋外で撮影された画像は、人物、ペット、アウトドアのように、複数の属性を有する。この場合、この１枚の画像が、人物、ペット、アウトドアという３つの属性のグループにそれぞれ含まれる。
【００６６】
なお、グループ生成部２２は、あらかじめ設定（決定）された属性だけでなく、例えば、画像解析の結果、画像に付与された属性や、ユーザの指示に応じて指定された属性に対応するグループを新規に生成してもよい。
【００６７】
続いて、枚数算出部２４は、画像群に含まれる画像の総枚数を算出し、かつ、グループ毎に、グループに含まれる画像の枚数を算出するものである。
【００６８】
前述のように、１枚の画像が、異なる複数の属性のグループの中に含まれる場合、全ての属性のグループに含まれる画像の枚数の合計は、画像群に含まれる画像の総枚数よりも多くなる。
【００６９】
続いて、棒グラフ生成部２６は、グループ毎に、グループに含まれる画像の枚数に応じた長さの棒グラフを生成するものである。
【００７０】
本実施形態の場合、棒グラフ生成部２６は、画像群に含まれる全ての画像の画像解析が完了した画像解析済みの棒グラフに加えて、画像群に含まれる全ての画像の画像解析が完了する前の画像解析中の棒グラフを逐次生成する。
【００７１】
棒グラフ生成部２６は、グループに含まれる画像の枚数に応じた長さの棒グラフの他、グループに含まれる画像の枚数の桁数に応じた長さの棒グラフや、グループに含まれる画像の枚数に応じて属性の順位を決定、例えば、画像の枚数が多いほど属性の順位が高くなる、あるいは、低くなるように順位を決定し、属性の順位に応じた長さの棒グラフを生成してもよい。また、いずれのグループに関しても一定の長さを与えた上で、それ以上の長さは画像の枚数に応じて上記の通り決定して、グループごとに棒グラフを生成することとしてもよい。
【００７２】
また、棒グラフ生成部２６は、第１の周辺領域と第２の周辺領域とで、棒グラフを生成する場合の生成基準を変えてもよい。つまり、第１の周辺領域に表示される棒グラフとして、第１の生成基準、例えば、画像の枚数に応じた長さの棒グラフを生成し、第２の周辺領域に表示される棒グラフとして、第１の生成基準とは異なる第２の生成基準、例えば、画像の枚数の桁数や属性の順位に応じた長さの棒グラフを生成してもよい。
【００７３】
続いて、表示制御部２８は、各種の画像を表示部１２に表示させる制御を行うものである。
【００７４】
例えば、画像情報表示画面を表示させる場合、表示制御部２８は、画像群に含まれる画像の総枚数を前述の中央領域に表示させる。なお、本実施態様では、総枚数を円形の枠で囲んで表示しているが、総枚数が中央領域内に表示されている限り、枠の形は円形の他、楕円などいかなる形であってもよいし、枠で囲んでいなくてもよい。そして、２以上の属性に対応する２以上のグループのうちの１以上のグループの棒グラフおよび属性情報を第１の周辺領域に表示させ、２以上のグループのうちの１以上の残りのグループの棒グラフおよび属性情報を第２の周辺領域に表示させる。つまり、第１の周辺領域および第２の周辺領域には、それぞれ、少なくとも１つの属性に対応するグループの棒グラフが表示される。
【００７５】
属性情報は、グループの属性を表す情報であり、表示制御部２８は、グループの属性を表す名称や、グループの属性を表すアイコン、あるいは、グループの属性を表すアイコンおよびグループの属性を表す名称の両方を表示させることができる。
【００７６】
また、棒グラフを表示させる場合、表示制御部２８は、例えば、中央領域の側を起点側とし、先端側が中央領域の反対側へ向かってそれぞれ延びる棒グラフを、第１の周辺領域および第２の周辺領域にそれぞれ表示させることができる。
【００７７】
表示制御部２８が行う表示制御には、グループに含まれる画像の枚数を表示させる制御、グループの属性を表す名称やアイコンを表示させる制御、画像の枚数が最も多いグループまたは最も少ないグループの属性情報を表示させる制御、リコメンド情報を表示させる制御、表示装置１０の起動時に、棒グラフが起点側から先端側へ向かって棒グラフの長さまで延びるアニメーションを表示させる制御、画像群に含まれる画像の総枚数の表示部分と、各々のグループの棒グラフの起点側の表示部分とをつなぐ線を表示させる制御等が含まれる。
【００７８】
次に、画像の情報を表示する画像情報表示画面について説明する。
【００７９】
図２は、画像解析済みの画像情報表示画面の構成を表す一実施形態の概念図である。同図に示す画像情報表示画面は、上部の指示入力領域、中央部の情報表示領域（本発明の表示領域）、下部の画面切替領域を有する。
【００８０】
指示入力領域の左部には設定ボタンが表示され、中央部には、表示装置１０を実現するアプリケーションの名称を表す「mikke」という文字が表示されている。
情報表示領域の中央領域には、画像群に含まれる画像の総枚数ALLが表示されている。また、情報表示領域の図中上側の第１の周辺領域には、人、ペット、食べ物、夜景の４種の属性のグループの棒グラフ等が表示され、図中下側の第２の周辺領域には、乗り物、花、アウトドア、インドア、文字／イラストの５種の属性のグループの棒グラフ等が表示されている。
画面切替領域には、画像情報表示画面（ホーム画面）、タグ検索画面、人物検索画面、感性検索画面を切り替える、ホーム、タグ、人物、感性の４つのタブが表示されている。
【００８１】
なお、指示入力領域の設定ボタンは、例えば、表示装置１０の動作を制御する各種の設定を行うためのボタンであるが、本実施形態の動作と直接の関係がないので、説明を省略する。また、画面切替領域の４つのタブは、表示画面に関わらず常に表示されている。同様に、タグ検索画面、人物検索画面、感性検索画面も、本実施形態の動作と直接の関係がないので、説明を省略する。以下、本実施形態に関わる画像情報表示画面について説明する。
【００８２】
画像情報表示画面では、画像群に含まれる画像の総枚数ALLが２８０７枚であることが、表示部１２の情報表示領域の中央領域に円形の枠で囲まれて表示されている。
また、人、ペット、食べ物、夜景の４種の属性に対応する４個のグループの棒グラフが、この順序で図中左側から順に第１の周辺領域に表示され、乗り物、花、アウトドア、インドア、文字／イラストの５種の属性に対応する５個のグループの棒グラフが、この順序で図中左側から順に第２の周辺領域に表示されている。
【００８３】
棒グラフは、第１の周辺領域および第２の周辺領域のそれぞれにおいて、中央領域の側を起点側とし、先端側が中央領域の反対側へ向かってそれぞれ延びている。つまり、棒グラフは、第１の周辺領域では、図中下側から上側へ向かって延び、第２の周辺領域では、上川から下側へ向かって延びる。
また、画像群に含まれる画像の総枚数の表示部分、つまり、画像の総枚数を囲む円形の枠の部分と、各々のグループの棒グラフの起点側の表示部分、つまり、棒グラフの起点側の線分の部分とをつなぐ線が表示されている。
【００８４】
また、属性情報として、グループ毎に、グループの属性を表すアイコンが、そのグループの棒グラフの内側の領域の先端側に表示されている。また、グループの属性を表す名称、つまり、人、ペット、食べ物、夜景、乗り物、花、アウトドア、インドア、文字／イラストの属性の名称と同じ名称が、そのグループの棒グラフの内側の領域に表示されている。
【００８５】
さらに、グループ毎に、グループに含まれる画像の枚数、つまり、人、ペット、食べ物、夜景、乗り物、花、アウトドア、インドア、文字／イラストの属性のそれぞれに対応するグループに含まれる画像の枚数が、それぞれ、１８３９枚、６９枚、７６枚、１８枚、７枚、５７枚、８７８枚、２２８枚、９枚であることが、グループの棒グラフの内側の領域に表示されている。
【００８６】
また、図２の例では、人、ペット、食べ物、夜景、乗り物、花、アウトドア、インドア、文字／イラストの属性に対応するグループの棒グラフが、１つおきに異なる色で表示されている。これに限らず、各々の棒グラフの色を変えて表示してもよい。
【００８７】
なお、グループに含まれる画像の枚数、グループの属性を表す名称およびアイコンは、それぞれ、棒グラフの内側の領域に表示させてもよいし、棒グラフの外側の領域に表示させてもよい。また、グループの属性を表すアイコンは、そのグループの棒グラフの内側の領域の起点側に表示させてもよい。
【００８８】
なお、図２においては、情報表示領域の長辺が画像情報表示画面の上下方向に相当し、情報表示領域の短辺が画像情報表示画面の左右方向に相当する。この状態から、情報表示領域の短辺を鉛直方向に回転させると、今日のスマートフォンおよびタブレットの機能にあるように、情報表示領域の長辺が画像情報表示画面の左右方向となり、情報表示領域の短辺が画像情報表示画面の上下方向となる（図示せず）。この場合、総枚数や棒グラフの位置関係は変えずに、文字列のみ方向を変えればよい。
【００８９】
このように、本実施態様では、情報表示領域の長辺方向に、第１の周辺領域、中心領域、および第２の周辺領域が順に配置されるので、長方形の情報表示領域を有効に用いて、画像の総枚数および各属性のグループの棒グラフを表示することが可能となる。
【００９０】
また、情報表示領域中で中央領域が占める割合は、４分の１ないし２分の１とすることが好ましい。さらに、情報表示領域中で中央領域が占める割合は、３分の１とすることが好ましい。各領域が情報表示領域中で占める割合を好ましい態様とすることで、長方形の表示領域をより有効に活用した表示が可能となる。
【００９１】
中央領域の中心は情報表示領域の中心と一致することが好ましい。この場合、第１の周辺領域および第２の周辺領域は、中央領域を挟んで同一の割合を占める。中央領域が情報表示領域の４分の１を占めるならば、第１の周辺領域および第２の周辺領域はそれぞれ８分の３ずつを占める。また、中央領域が情報表示領域の３分の１を占めるならば、第１の周辺領域および第２の周辺領域はそれぞれ３分の１ずつを占める。各領域が情報表示領域中で占める位置を上記のような好ましい態様とすることで、長方形の表示領域においてより美しく画像の枚数を表示できる。
【００９２】
次に、図３に示すフローチャートを参照しながら、表示装置１０の動作を説明する。
【００９３】
まず、ユーザのタッチ操作により、スマートフォンの表示部に表示されている、表示装置１０を実現するアプリケーションのアイコンがタップされると、表示装置１０を実現するアプリケーションが起動される（ステップS1）。
【００９４】
表示装置１０を実現するアプリケーションが起動されると、画像群取得部１６により、例えば、スマートフォンのカメラ機能により撮影された画像が保存されるフォルダから新規な画像群が取得される（ステップS2）。
【００９５】
画像群取得部１６によって新規な画像群が取得されると、画像解析部１８により、画像群に含まれる画像の解析が行われ（ステップS3）、属性付与部２０により、画像解析部１８による画像の解析結果に基づいて、画像に属性が付与される（ステップS4）。
【００９６】
本実施形態の場合、属性付与部２０により、人物、ペット、食べ物、夜景、乗り物、花、アウトドア、インドア、文字／イラストの９種の属性の中から１以上の属性が画像に付与される。
【００９７】
また、グループ生成部２２により、属性毎に、画像群に含まれる画像から、同一の属性を有する画像のみを含むグループが生成される（ステップS5）。
【００９８】
本実施形態の場合、グループ生成部２２により、人物、ペット、食べ物、夜景、乗り物、花、アウトドア、インドア、文字／イラストの９種の属性に対応する９個のグループが生成される。
【００９９】
続いて、枚数算出部２４により、画像群に含まれる画像の総枚数が算出される。また、グループ毎に、グループに含まれる画像の枚数が算出される（ステップS6）。
【０１００】
続いて、棒グラフ生成部２６により、グループ毎に、グループに含まれる画像の枚数に応じた長さの棒グラフが生成される（ステップS7）。
【０１０１】
続いて、表示制御部２８により、画像解析中の画像情報表示画面が表示部１２の表示領域に表示される（ステップS8）。
【０１０２】
本実施形態の場合、画像群取得部１６によって１枚の画像が取得される毎に、画像の解析、属性の付与、画像の枚数の算出、棒グラフの生成、画像情報表示画面の表示が行われる。
【０１０３】
図４は、画像解析中の画像情報表示画面の構成を表す一実施形態の概念図である。同図に示す画像解析中の画像情報表示画面の構成は、図２に示す画像解析済みの画像情報表示画面の構成とほぼ同様である。
【０１０４】
画像解析中の画像情報表示画面は、図４に示すように、１枚の画像の取得、解析、属性の付与、枚数の算出が行われる毎に、画像解析中の画像が中央領域に順次表示される。また、画像解析中の、人、ペット、食べ物、夜景の４種の属性に対応する４個のグループの棒グラフおよび属性情報が第１の周辺領域に表示され、画像解析中の、乗り物、花、アウトドア、インドア、文字／イラストの５種の属性に対応する５個のグループの棒グラフおよび属性情報が第２の周辺領域に表示される。
【０１０５】
図４の例では、グループ毎に、画像解析中の、グループに含まれる画像の枚数に応じた長さの棒グラフが表示されている。また、画像解析中の、人、ペット、食べ物、夜景、乗り物、花、アウトドア、インドア、文字／イラストの９種の属性に対応する９個のグループに含まれる画像の枚数が、それぞれ、３２０枚、２枚、１２枚、５枚、０枚、４枚、７９枚、４１枚、２枚であることが表示されている。
【０１０６】
また、画像解析部１８による画像の解析中には、表示制御部２８により、表示部１２の表示領域の最上部のスマートフォンの情報表示部に、画像解析の進行状況が表示される。図示例では、画像解析の進行状況が１５％であることが表示されている。また、中央領域に表示されている円形の枠の部分において、画像解析の進行状況が１５％であることを示すために、円形の枠の全周を１００％として、１２時の位置から時計回りに１５％の位置までが太線で表示されている。
【０１０７】
画像群に含まれる全ての画像の解析、属性の付与、枚数の算出、棒グラフの生成が完了すると、表示制御部２８により、画像解析済みの画像情報表示画面が表示部１２の表示領域に表示される（ステップS9）。
【０１０８】
画像解析済みの画像情報表示画面は、図２に示すように、画像群に含まれる画像の総枚数ALLが中央領域に表示される。また、画像解析済みの、人、ペット、食べ物、夜景の４種の属性に対応する４個のグループの棒グラフおよび属性情報が第１の周辺領域に表示され、画像解析済みの、画像解析済みの、乗り物、花、アウトドア、インドア、文字／イラストの５種の属性に対応する５個のグループの棒グラフおよび属性情報が第２の周辺領域に表示される。
【０１０９】
図２の例では、グループ毎に、画像解析済みの、グループに含まれる画像の枚数に応じた長さの棒グラフが表示されている。また、前述のように、画像解析済みの、人、ペット、食べ物、夜景、乗り物、花、アウトドア、インドア、文字／イラストの９種の属性に対応する９個のグループに含まれる画像の枚数が、それぞれ、１８３９枚、５９枚、７６枚、１８枚、７枚、５７枚、８７８枚、２２８枚、９枚であることが表示されている。
【０１１０】
このように、画像群に含まれる画像の総枚数を表示部１２の表示領域の中央領域に表示することにより、ユーザは、画像群に含まれる画像の総枚数を一目で把握することができる。
【０１１１】
また、画像群に含まれる画像から、同一の属性を有する画像のみを含むグループを生成し、１以上のグループの棒グラフおよび属性情報を第１の周辺領域に表示し、１以上の残りのグループの棒グラフおよび属性情報を第２の周辺領域に表示することにより、ユーザは、どのような属性の画像が画像群の中に最も多く含まれているのか、また、属性毎の画像の多少などを一目で直感的に把握することができる。
【０１１２】
表示制御部２８は、さらに、画像の枚数が最も多いグループの属性情報を中央領域に表示させてもよいし、逆に、画像の枚数が最も少ないグループの属性情報を中央領域に表示させてもよい。
【０１１３】
これにより、ユーザは、画像の枚数が最も多いグループ、または、最も少ないグループの属性を一目で把握することができる。
【０１１４】
さらに、表示制御部２８は、画像の撮影、画像の共有、あるいは、画像のプリントをリコメンドするリコメンド情報を中央領域に表示させてもよい。
【０１１５】
リコメンド情報は、例えば、「最近、写真を撮影しましたか？」等の単なるメッセージでもよい。また、リコメンド情報として、画像群に含まれる画像を用いて作成されるフォト商材の作成を提案するメッセージでもよい。フォト商材には、例えば、通常の写真プリントの他、電子アルバム、フォトブック、シャッフルプリント、写真付きはがき、写真付きカレンダー等が含まれる。
【０１１６】
これにより、ユーザの行動を促し、画像を有効に利用することができる。
【０１１７】
なお、画像の枚数が最も多いグループ、または、最も少ないグループの属性情報や、リコメンド情報は、図２の例の場合、中央領域内の円形の枠の中に表示させてもよいし、あるいは、例えば、円形の枠を左側または右側に移動させて、円形の枠の右側または左側に領域を用意し、その用意した領域に表示させてもよい。
【０１１８】
続いて、ユーザのタッチ操作により、表示部１２に表示された９種の属性に対応する９個のグループの棒グラフの中から１つの棒グラフがタップされ、タップされた棒グラフを選択する指示が入力される（ステップS10）。
【０１１９】
本実施形態の場合、ユーザのタッチ操作により、人の属性に対応するグループの棒グラフがタップされたとする。
【０１２０】
これに応じて、指示取得部１４によりユーザの指示が取得され、表示制御部２８により、図５に示すように、ユーザの指示に応じて選択された棒グラフに対応するグループに含まれる画像、つまり、人が存在する画像（サムネイル画像）の一覧が表示部１２の表示領域に表示される（ステップS11）。
【０１２１】
このように、ユーザは、所望の属性を有する画像を選択して表示部１２に表示させることができる。図５の例では、ユーザの指示に応じて選択された棒グラフに対応するグループに含まれる画像のうちの一定数の画像のみが表示部１２に表示されている。この場合、ユーザが画像の表示画面を上下にスワイプすることにより、任意の一定数の画像を表示部１２に順次表示させることができる。
【０１２２】
また、画像群に新規な画像が追加された場合も同様に、画像の解析、属性の付与、画像の枚数の算出、棒グラフの生成、画像情報表示画面の表示が行われる。
【０１２３】
また、表示装置１０では、画像情報表示画面以外の画面が表示されている場合に、画面切替領域に表示されているホームタブをタップすることにより、画像情報表示画面（ホーム画面）に切り替えることができる。この場合の動作も同様である。
【０１２４】
一方、画像群に含まれる画像が変更されていない場合、画像の解析、属性の付与、画像の枚数の算出、棒グラフの生成は行われず、前回の画像解析済みの画像情報表示画面がそのまま表示される。
【０１２５】
表示制御部２８は、表示装置１０の起動時や画像情報表示画面への切替時などに、前回の画像解析済みの画像情報表示画面が表示される場合に、各々のグループの棒グラフが、起点側から先端側へ向かって棒グラフの長さまで延びるアニメーションを表示させてもよい。
【０１２６】
また、棒グラフを表示させる場合、表示制御部２８は、例えば、中央領域の反対側を起点側とし、先端側が中央領域の側へ向かってそれぞれ延びる棒グラフを、第１の周辺領域および第２の周辺領域にそれぞれ表示させてもよい。この場合、画像群に含まれる画像の総枚数の表示部分、つまり、画像の総枚数を囲む円形の枠の部分と、各々のグループの棒グラフの先端側の表示部分、つまり、棒グラフの先端側の線分の部分とをつなぐ線が表示される。
【０１２７】
本発明の画像検索装置および画像検索条件設定装置について、スマートフォンに保存された画像を検索する例を挙げて説明したが、本発明は、これに限定されず、例えば、パーソナルコンピュータ（PC）やノートPC、タブレットPC、クラウド上のサーバ等に保存された画像を検索する場合にも同様に適用可能である。
【０１２８】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０１２９】
以上、本発明について詳細に説明したが、本発明は上記実施形態に限定されず、本発明の主旨を逸脱しない範囲において、種々の改良や変更をしてもよいのはもちろんである。
【符号の説明】
【０１３０】
１０  表示装置
１２  表示部
１４  指示取得部
１６  画像群取得部
１８  画像解析部
２０  属性付与部
２２  グループ生成部
２４  枚数算出部
２６  棒グラフ生成部
２８  表示制御部
【図１】
0006491591.tif 000002
【図２】
0006491591.tif 000003
【図３】
0006491591.tif 000004
【図４】
0006491591.tif 000005
【図５】
0006491591.tif 000006